(57)【要約】      （修正有）【課題】捜索業務に出動する警察官が一般的に装備する警杖に各種の工具を着脱可能に装着し、必要に応じて交換して使用できるようにすることにより、一人の警察官が大きな重量を負担することなく、多種多様な工具をコンパクトにまとめて常時携帯し、臨機応変に工具を交換して使用できる、携帯用多目的工具セットを提供する。【解決手段】警杖Ｐの一端に着脱可能に取り付けて使用するための共通形状の取付部を備える複数種類の交換式工具Ｔのすべて又はそれらのうち複数の組み合わせから成り、さらにそれらをインナーケースＣに整理して収納バッグＡに収容し、携帯可能としたことを特徴とする。【選択図】図１
0003182904.tif 000002
【実用新案登録請求の範囲】
【請求項１】
棒体の一端に着脱可能に取り付けて使用するための共通形状の取付部を備える複数種類の交換式工具から成る携帯用多目的工具セット。
【請求項２】
前記複数種類の交換式工具は、シャベル、木鋸、金鋸、鳶口、ハンマー、鋤簾のすべて又はそれらのうち複数の組み合わせから成ることを特徴とする、請求項１に記載の携帯用多目的工具セット。
【請求項３】
請求項２に記載の交換式工具と、該交換式工具を整理格納可能なインナーケースと、収納バッグとから成ることを特徴とする、携帯用多目的工具セット。
【考案の詳細な説明】
【技術分野】
【０００１】
本考案は、警察官等が警杖とともに携行し、災害発生時の要救助者捜索や、犯罪捜査時の証拠品捜索等の作業の際に警杖に装着して使用する作業工具一式を収納した携行用多目的工具セットに関する。
【背景技術】
【０００２】
警察官は、犯罪捜査において抵抗する被疑者に対する制圧用具として、また、群衆整理における指揮誘導用具として、警杖（一般的には、直径２８ｍｍ、全長１．２ｍの円柱状の棒体）を携行する。この警杖は、災害発生時の要救助者捜索や、犯罪捜査時の証拠品捜索等の捜索業務においては、捜索の用具としても使用されている。
【０００３】
かかる捜索業務においては、警杖のほかに、崩落した土砂を取り除くためのシャベルや鋤簾、捜索活動を阻む構造物や瓦礫等を破壊除去するための木材用あるいは金属用の鋸、鳶口、釘抜き付ハンマー等の様々な作業用工具が使用される。
【考案の開示】
【考案が解決しようとする課題】
【０００４】
捜索業務の現場では、これら作業用工具を臨機応変に使用する必要があるが、特に災害現場等の過酷かつ悪条件な環境において、警察官が警杖に加え多数の工具を常時携行することは、重量による体力的な負担のみならず、工具が嵩張ることにより作業効率も低下するという問題がある。
【０００５】
これに対して、個々の工具を軽量化あるいは折り畳み式とすることが当然考えられ、たとえば特許文献１に記載の折り畳み式シャベルや特許文献２に記載の伸縮式鳶口等が提案されているが、これらの先行技術は不使用時の工具の寸法をある程度コンパクト化する効果は期待できるものの、上述の問題の抜本的な解決とはならない。
【特許文献１】昭６１−１８０２４２号公開実用新案公報
【特許文献２】特開２００２−２３９０２２号公報
【０００６】
本考案は、かかる問題を解決するために創作されたものであり、捜索業務に出動する警察官が一般的に装備する警杖に各種の工具を着脱可能に装着し、必要に応じて交換して使用できるようにすることにより、一人の警察官が大きな重量を負担することなく、多種多様な工具をコンパクトにまとめて常時携帯し、臨機応変に工具を交換して使用できる、携帯用多目的工具セットを提供することを目的とする。
【０００７】
かかる目的を達成するため、請求項１に記載した携帯用多目的工具セットは、棒体の一端に着脱可能に装着して使用するための共通形状の装着部を備える複数種類の交換式工具から成ることを特徴とする。
【０００８】
本考案に係る携帯用多目的工具セットを構成する交換式工具は、いずれも棒体である警杖の一端に着脱可能に取付可能な共通形状の装着部を有する。装着部は、警杖の一端を結合させる結合部に脱落防止用の固定具を備えたものとする。装着部の構成は任意であるが、結合部については警杖の一端を挿入して嵌合させる筒体とし、固定具については特段の工具を要さずに手指だけで警杖の一端と装着部を固定し、又は固定を解除できるスクリューボルトとすることが好適である。
【０００９】
使用者である警察官は、捜索現場において状況に応じて最適な交換式工具を選択して棒体である警杖の一端に装着し、必要に応じて異なる交換式工具を自由に着脱交換して使用する。もちろん、交換式工具が不要な場合には、警杖のみを本来の用途に使用可能である。
【００１０】
次に、請求項２に記載した考案は、請求項１に記載の携帯用多目的工具セットであって、
前記複数種類の交換式工具は、シャベル、木鋸、金鋸、鳶口、ハンマー、鋤簾のすべて又はそれらのうち複数の組み合わせから成ることを特徴とする。
【００１１】
これらのうち、シャベルは土砂の掘削、木鋸は木材の切断、金鋸は金属の切断、鳶口は木造建築物の解体、ハンマーは木造建築物の破壊や危険な釘の除去、鋤簾は泥や瓦礫の除去等に主に用いられる。
【００１２】
交換式工具は、いずれも一般的な各工具の作用部（シャベル・鋤簾ならば平板部、木鋸・金鋸ならば刃部、鳶口・ハンマーならばヘッド部）と上述の装着部から構成する。これらのうち、少なくとも木鋸、金鋸及びハンマーについては、必要に応じて、あるいは作業空間が狭隘な場合等においては、棒体に装着せずに単体で使用者が把持して使用することを想定し、筒状の装着部の外側面の一部に滑り止め処理を施しておくことが好適である。
【００１３】
一方、作業対象物が高所や狭隘な空間の奥部にある等、使用者の手が届きにくい場所にある場合には、棒体である警杖の一端に交換式工具を装着することにより、使用者は警杖を操作して作業を行える。
【００１４】
請求項３に記載した携帯用多目的工具セットは、請求項２に記載の交換式工具と、該交換式工具を整理格納可能なインナーケースと、収納バッグとから成ることを特徴とする。
【００１５】
インナーケースは、各交換式工具に対応する複数のポケットを有する一体的な袋状体として構成し、携帯時にはすべての交換式工具をインナーケースに収容した上で背負い式の収納バッグに収納する。使用者は、移動時にはすべての交換式工具を収納した収納バッグを背負い、警杖のみを手にして行動することができる。作業現場では収納バッグを降ろしてインナーケースから適切な交換式工具を取り出し、警杖の一端に装着して使用するか、あるいは単体で使用する。なお、収納バッグはインナーケースのほかに作業用ライトやその他の工具、地図、飲料水や食料等、作業中に必要となる他の物品も入れて携行することができる。
【００１６】
かかるインナーケースを使用することにより、交換式工具を整理整頓して携行することができるだけでなく、移動中に交換式工具が他の物品に接触して破損させたり、作業により交換式工具に付着した土砂等により収納バッグ内やその中の他の物品が汚れることを防止することができる。
【００１７】
また、交換式工具のほかに、複数の棒体の端部を接続するための連結具を構成に含めることもできる。連結具は、二本の棒体を両端から挿入して連接させる筒体の両側に、交換式工具の装着部が備えるものと同様の固定具をそれぞれ設けたものとする。これにより棒体を接続してその一端に交換式工具を装着することにより、棒体の長さ以上に離れた作業対象にも交換式工具を届かせることが可能となるため、使用者の作業範囲を拡大することができる。
【考案の効果】
【００１８】
本考案に係る携帯用多目的工具セットによれば、使用者である警察官は、すべての交換式工具を収納した収納バッグを背負い、警杖のみを手にして移動できるため、足場の悪い捜索現場等においても自由かつ安全に行動できる。また、交換式工具はコンパクトな作用部のみを携行できるため、携行中に嵩張ることもなく、工具の総重量も削減できるため、使用者の体力への負担を軽減できる。もちろん、必要な工具一式を携帯して行動できるため、作業現場の状況により必要な工具を車両や工具置場等に都度取りに戻る必要もなくなり、作業効率を向上できるという効果を奏する。  
【考案を実施するための最良の形態】
【００１９】
以下、本考案の実施形態について図を用いて詳細に説明する。図１は、本考案に係る携帯用多目的工具セット（以下、単に「工具セット」と記す。）の一実施形態としての試作品の写真を用いて本考案の構成を説明する説明図である。
【００２０】
工具セットは、シャベルＴ１、木鋸Ｔ２、金鋸Ｔ３、鳶口Ｔ４、釘抜き付ハンマーＴ５、鋤簾Ｔ６の合計６種の交換式工具Ｔのほか、さらに連結具Ｊ、作業用ライトＬをインナーケースＣに収納した上で、収納バッグＡに収納し、使用者が背負って携行する。交換式工具Ｔは警杖Ｐの一端に装着して使用する。
【００２１】
図２は、シャベルＴ１の試作品の写真であり、警杖Ｐに装着した状態を示す。シャベルＴ１は鋼製の板部Ｔ１ａに鋼管から成る装着部Ｔ１ｂを溶接して一体化しており、装着部Ｔ１ｂには貫通ネジ孔（図示せず）に羅合させたスクリューボルトＢを二つ設けて固定具としており、装着部に警杖Ｐを挿入した上でスクリューボルトＢを締めることにより、シャベルＴ１に警杖Ｐを装着する。スクリューボルトＢは、特段の工具を用いずとも手動で回転させることにより警杖Ｐの固定又は解除が可能な構造とすることが望ましい。なお、スクリューボルトＢの数は任意であるが、作業中の脱落防止のための確実性と固定・解除の手間を考慮すれば二つとすることが適当である。
【００２２】
図３は、木鋸Ｔ２の試作品の写真である。木鋸Ｔ２は、木材用の鋸刃Ｔ２ａに鋼管から成る装着部Ｔ２ｂをボルト留めして一体化しており、装着部Ｔ２ｂに設けた固定具の構成はシャベルＴ１と同様である。また、木鋸Ｔ２は警杖Ｐに装着せず単体で使用する場合も多いと想定されるため、警杖Ｐ装着側端の外周側面の一部には滑り止めのための溝部Ｇを設けている。なお、鋸刃Ｔ２ａをボルト留めとしたのは、鋸刃の取り換えを想定したものであり、取付方法は任意である。
【００２３】
図４は、金鋸Ｔ３の試作品の写真である。鋸刃Ｔ３ａが金属用である点を除き、その他の構成は木鋸Ｔ２と同様である。
【００２４】
図５は、鳶口Ｔ４の試作品の写真である。鳶口Ｔ４は、鋼製の突起Ｔ４ａを鋼管から成る装着部Ｔ４ｂに溶接して一体化しており、装着部Ｔ４ｂの構成は前記と同様である。鳶口Ｔ４は、警杖Ｐに装着してのみの使用を想定している。
【００２５】
図６は、釘抜き付ハンマーＴ５の試作品の写真である。釘抜き付ハンマーＴ５はヘッド部Ｔ５ａと柄からなるハンマーの柄を装着部Ｔ５ｂに挿入しボルト留めして一体化している。装着部Ｔ５ｂの構成は他の工具と共通であるが、木鋸Ｔ２、金鋸Ｔ３と同様に工具単体として使用する場合が多いと想定されることから、装着部Ｔ５ｂには溝部Ｇを設けている。
【００２６】
図７は、鋤簾Ｔ６の試作品の写真であり、鋼製の板部Ｔ６ａを装着部Ｔ６ｂの一端にボルト留めして一体化している。装着部Ｔ６ｂの構成は他の工具と共通である。なお、板部Ｔ６ａをボルト留めとしたのは、非使用時の外形が嵩張ることを防ぐために分解可能としたためであり、取付方法は任意である。
【００２７】
図８は、連結具Ｊにより二本の警杖Ｐを連結した状態を示す写真である。連結具Ｊは鋼管に二組のスクリューボルトＢを設けており、連結具Ｊの両端からそれぞれ挿入した警杖Ｐの一端を各組のスクリューボルトＢにより固定することにより、警杖Ｐの全長を二倍に延長可能とする。
【００２８】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。
【産業上の利用可能性】
【００２９】
本考案に係る携帯用多目的工具セットは、警察官等が捜索業務に当たる際に一般的に装備する警杖と組み合わせることで現場の状況に応じて多種多様な工具を使用可能とし、しかも軽量かつコンパクトで作業の効率や安全性の向上に資する装備として、比較的低廉な費用で利用可能である。
【図面の簡単な説明】
【００３０】
【図１】本考案に係る携帯用多目的工具セットの構成図
【図２】本考案に係るシャベルＴ１の構成を示す写真
【図３】本考案に係る木鋸Ｔ２の構成を示す写真
【図４】本考案に係る金鋸Ｔ３の構成を示す写真
【図５】本考案に係る鳶口Ｔ４の構成を示す写真
【図６】本考案に係る釘抜き付ハンマーＴ５の構成を示す写真
【図７】本考案に係る鋤簾Ｔ６の構成を示す写真
【図８】本考案に係る連結具Ｊの構成を示す写真
【符号の説明】
【００３１】
Ａ           収納バッグ
Ｂ           スクリューボルト
Ｃ           インナーケース
Ｇ           溝部
Ｊ      連結具
Ｌ           作業用ライト
Ｐ           警杖
Ｔ           交換式工具
Ｔ１       シャベル
Ｔ２       木鋸  
Ｔ３       金鋸
Ｔ４       鳶口
Ｔ５       釘抜き付ハンマー
Ｔ６       鋤簾
Ｔ１ａ、Ｔ２ａ、Ｔ３ａ、Ｔ４ａ、Ｔ５ａ、Ｔ６ａ   作用部
Ｔ１ｂ、Ｔ２ｂ、Ｔ３ｂ、Ｔ４ｂ、Ｔ５ｂ、Ｔ６ｂ   装着部
【図１】
0003182904.tif 000003
【図２】
0003182904.tif 000004
【図３】
0003182904.tif 000005
【図４】
0003182904.tif 000006
【図５】
0003182904.tif 000007
【図６】
0003182904.tif 000008
【図７】
0003182904.tif 000009
【図８】
0003182904.tif 000010
【手続補正書】
【提出日】平成25年2月13日(2013.2.13)
【手続補正１】
【補正対象書類名】実用新案登録請求の範囲
【補正対象項目名】請求項１
【補正方法】変更
【補正の内容】
【請求項１】
複数種類の交換式工具から成る携帯用多目的工具セットであって、前記交換式工具はいずれも共通形状の取付部を有し、前記交換式工具のいずれかを該取付部を介して警杖の一端に着脱可能に取り付けて使用可能としたことを特徴とする携帯用多目的工具セット。
【手続補正２】
【補正対象書類名】実用新案登録請求の範囲
【補正対象項目名】請求項３
【補正方法】変更
【補正の内容】
【請求項３】
前記交換式工具と、前記交換式工具を整理格納可能なインナーケースと、収納バッグとから成ることを特徴とする、請求項２に記載の携帯用多目的工具セット。
【手続補正３】
【補正対象書類名】明細書
【補正対象項目名】全文
【補正方法】変更
【補正の内容】
【考案の詳細な説明】
【技術分野】
【０００１】
本考案は、警察官等が警杖とともに携行し、災害発生時の要救助者捜索や、犯罪捜査時の証拠品捜索等の作業の際に警杖に装着して使用する作業工具一式を収納した携行用多目的工具セットに関する。
【背景技術】
【０００２】
警察官は、犯罪捜査において抵抗する被疑者に対する制圧用具として、また、群衆整理における指揮誘導用具として、警杖（一般的には、直径２８ｍｍ、全長１．２ｍの円柱状の棒体）を携行する。この警杖は、災害発生時の要救助者捜索や、犯罪捜査時の証拠品捜索等の捜索業務においては、捜索の用具としても使用されている。
【０００３】
かかる捜索業務においては、警杖のほかに、崩落した土砂を取り除くためのシャベルや鋤簾、捜索活動を阻む構造物や瓦礫等を破壊除去するための木材用あるいは金属用の鋸、鳶口、釘抜き付ハンマー等の様々な作業用工具が使用される。
【考案の開示】
【考案が解決しようとする課題】
【０００４】
捜索業務の現場では、これら作業用工具を臨機応変に使用する必要があるが、特に災害現場等の過酷かつ悪条件な環境において、警察官が警杖に加え多数の工具を常時携行することは、重量による体力的な負担のみならず、工具が嵩張ることにより作業効率も低下するという問題がある。
【０００５】
これに対して、個々の工具を軽量化あるいは折り畳み式とすることが当然考えられ、たとえば特許文献１に記載の折り畳み式シャベルや特許文献２に記載の伸縮式鳶口等が提案されているが、これらの先行技術は不使用時の工具の寸法をある程度コンパクト化する効果は期待できるものの、上述の問題の抜本的な解決とはならない。
【特許文献１】昭６１−１８０２４２号公開実用新案公報
【特許文献２】特開２００２−２３９０２２号公報
【０００６】
本考案は、かかる問題を解決するために創作されたものであり、捜索業務に出動する警察官が一般的に装備する警杖に各種の工具を着脱可能に装着し、必要に応じて交換して使用できるようにすることにより、一人の警察官が大きな重量を負担することなく、多種多様な工具をコンパクトにまとめて常時携帯し、臨機応変に工具を交換して使用できる、携帯用多目的工具セットを提供することを目的とする。
【０００７】
かかる目的を達成するため、請求項１に記載した携帯用多目的工具セットは、複数種類の交換式工具から成る携帯用多目的工具セットであって、前記交換式工具はいずれも共通形状の取付部を有し、前記交換式工具のいずれかを該取付部を介して警杖の一端に着脱可能に取り付けて使用可能としたことを特徴とする。
【０００８】
本考案に係る携帯用多目的工具セットを構成する交換式工具は、いずれも警杖の一端に着脱可能に取付可能な共通形状の装着部を有する。装着部は、警杖の一端を結合させる結合部に脱落防止用の固定具を備えたものとする。装着部の構成は任意であるが、結合部については警杖の一端を挿入して嵌合させる筒体とし、固定具については特段の工具を要さずに手指だけで警杖の一端と装着部を固定し、又は固定を解除できるスクリューボルトとすることが好適である。
【０００９】
使用者である警察官は、捜索現場において状況に応じて最適な交換式工具を選択して警杖の一端に装着し、必要に応じて異なる交換式工具を自由に着脱交換して使用する。もちろん、交換式工具が不要な場合には、警杖のみを本来の用途に使用可能である。
【００１０】
次に、請求項２に記載した考案は、請求項１に記載の携帯用多目的工具セットであって、
前記複数種類の交換式工具は、シャベル、木鋸、金鋸、鳶口、ハンマー、鋤簾のすべて又はそれらのうち複数の組み合わせから成ることを特徴とする。
【００１１】
これらのうち、シャベルは土砂の掘削、木鋸は木材の切断、金鋸は金属の切断、鳶口は木造建築物の解体、ハンマーは木造建築物の破壊や危険な釘の除去、鋤簾は泥や瓦礫の除去等に主に用いられる。
【００１２】
交換式工具は、いずれも一般的な各工具の作用部（シャベル・鋤簾ならば平板部、木鋸・金鋸ならば刃部、鳶口・ハンマーならばヘッド部）と上述の装着部から構成する。これらのうち、少なくとも木鋸、金鋸及びハンマーについては、必要に応じて、あるいは作業空間が狭隘な場合等においては、警杖に装着せずに単体で使用者が把持して使用することを想定し、筒状の装着部の外側面の一部に滑り止め処理を施しておくことが好適である。
【００１３】
一方、作業対象物が高所や狭隘な空間の奥部にある等、使用者の手が届きにくい場所にある場合には、警杖の一端に交換式工具を装着することにより、使用者は警杖を操作して作業を行える。
【００１４】
請求項３に記載した携帯用多目的工具セットは、請求項２に記載の携帯用多目的工具セットであって、前記交換式工具と、前記交換式工具を整理格納可能なインナーケースと、収納バッグとから成ることを特徴とする。
【００１５】
インナーケースは、各交換式工具に対応する複数のポケットを有する一体的な袋状体として構成し、携帯時にはすべての交換式工具をインナーケースに収容した上で背負い式の収納バッグに収納する。使用者は、移動時にはすべての交換式工具を収納した収納バッグを背負い、警杖のみを手にして行動することができる。作業現場では収納バッグを降ろしてインナーケースから適切な交換式工具を取り出し、警杖の一端に装着して使用するか、あるいは単体で使用する。なお、収納バッグはインナーケースのほかに作業用ライトやその他の工具、地図、飲料水や食料等、作業中に必要となる他の物品も入れて携行することができる。
【００１６】
かかるインナーケースを使用することにより、交換式工具を整理整頓して携行することができるだけでなく、移動中に交換式工具が他の物品に接触して破損させたり、作業により交換式工具に付着した土砂等により収納バッグ内やその中の他の物品が汚れることを防止することができる。
【００１７】
また、交換式工具のほかに、複数の警杖の端部を接続するための連結具を構成に含めることもできる。連結具は、二本の警杖を両端から挿入して連接させる筒体の両側に、交換式工具の装着部が備えるものと同様の固定具をそれぞれ設けたものとする。これにより警杖を接続してその一端に交換式工具を装着することにより、警杖の長さ以上に離れた作業対象にも交換式工具を届かせることが可能となるため、使用者の作業範囲を拡大することができる。
【考案の効果】
【００１８】
本考案に係る携帯用多目的工具セットによれば、使用者である警察官は、すべての交換式工具を収納した収納バッグを背負い、警杖のみを手にして移動できるため、足場の悪い捜索現場等においても自由かつ安全に行動できる。また、交換式工具はコンパクトな作用部のみを携行できるため、携行中に嵩張ることもなく、工具の総重量も削減できるため、使用者の体力への負担を軽減できる。もちろん、必要な工具一式を携帯して行動できるため、作業現場の状況により必要な工具を車両や工具置場等に都度取りに戻る必要もなくなり、作業効率を向上できるという効果を奏する。  
【考案を実施するための最良の形態】
【００１９】
以下、本考案の実施形態について図を用いて詳細に説明する。図１は、本考案に係る携帯用多目的工具セット（以下、単に「工具セット」と記す。）の一実施形態としての試作品の写真を用いて本考案の構成を説明する説明図である。
【００２０】
工具セットは、シャベルＴ１、木鋸Ｔ２、金鋸Ｔ３、鳶口Ｔ４、釘抜き付ハンマーＴ５、鋤簾Ｔ６の合計６種の交換式工具Ｔのほか、さらに連結具Ｊ、作業用ライトＬをインナーケースＣに収納した上で、収納バッグＡに収納し、使用者が背負って携行する。交換式工具Ｔは警杖Ｐの一端に装着して使用する。
【００２１】
図２は、シャベルＴ１の試作品の写真であり、警杖Ｐに装着した状態を示す。シャベルＴ１は鋼製の板部Ｔ１ａに鋼管から成る装着部Ｔ１ｂを溶接して一体化しており、装着部Ｔ１ｂには貫通ネジ孔（図示せず）に羅合させたスクリューボルトＢを二つ設けて固定具としており、装着部に警杖Ｐを挿入した上でスクリューボルトＢを締めることにより、シャベルＴ１に警杖Ｐを装着する。スクリューボルトＢは、特段の工具を用いずとも手動で回転させることにより警杖Ｐの固定又は解除が可能な構造とすることが望ましい。なお、スクリューボルトＢの数は任意であるが、作業中の脱落防止のための確実性と固定・解除の手間を考慮すれば二つとすることが適当である。
【００２２】
図３は、木鋸Ｔ２の試作品の写真である。木鋸Ｔ２は、木材用の鋸刃Ｔ２ａに鋼管から成る装着部Ｔ２ｂをボルト留めして一体化しており、装着部Ｔ２ｂに設けた固定具の構成はシャベルＴ１と同様である。また、木鋸Ｔ２は警杖Ｐに装着せず単体で使用する場合も多いと想定されるため、警杖Ｐ装着側端の外周側面の一部には滑り止めのための溝部Ｇを設けている。なお、鋸刃Ｔ２ａをボルト留めとしたのは、鋸刃の取り換えを想定したものであり、取付方法は任意である。
【００２３】
図４は、金鋸Ｔ３の試作品の写真である。鋸刃Ｔ３ａが金属用である点を除き、その他の構成は木鋸Ｔ２と同様である。
【００２４】
図５は、鳶口Ｔ４の試作品の写真である。鳶口Ｔ４は、鋼製の突起Ｔ４ａを鋼管から成る装着部Ｔ４ｂに溶接して一体化しており、装着部Ｔ４ｂの構成は前記と同様である。鳶口Ｔ４は、警杖Ｐに装着してのみの使用を想定している。
【００２５】
図６は、釘抜き付ハンマーＴ５の試作品の写真である。釘抜き付ハンマーＴ５はヘッド部Ｔ５ａと柄からなるハンマーの柄を装着部Ｔ５ｂに挿入しボルト留めして一体化している。装着部Ｔ５ｂの構成は他の工具と共通であるが、木鋸Ｔ２、金鋸Ｔ３と同様に工具単体として使用する場合が多いと想定されることから、装着部Ｔ５ｂには溝部Ｇを設けている。
【００２６】
図７は、鋤簾Ｔ６の試作品の写真であり、鋼製の板部Ｔ６ａを装着部Ｔ６ｂの一端にボルト留めして一体化している。装着部Ｔ６ｂの構成は他の工具と共通である。なお、板部Ｔ６ａをボルト留めとしたのは、非使用時の外形が嵩張ることを防ぐために分解可能としたためであり、取付方法は任意である。
【００２７】
図８は、連結具Ｊにより二本の警杖Ｐを連結した状態を示す写真である。連結具Ｊは鋼管に二組のスクリューボルトＢを設けており、連結具Ｊの両端からそれぞれ挿入した警杖Ｐの一端を各組のスクリューボルトＢにより固定することにより、警杖Ｐの全長を二倍に延長可能とする。
【００２８】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。
【産業上の利用可能性】
【００２９】
本考案に係る携帯用多目的工具セットは、警察官等が捜索業務に当たる際に一般的に装備する警杖と組み合わせることで現場の状況に応じて多種多様な工具を使用可能とし、しかも軽量かつコンパクトで作業の効率や安全性の向上に資する装備として、比較的低廉な費用で利用可能である。
【図面の簡単な説明】
【００３０】
【図１】本考案に係る携帯用多目的工具セットの構成図
【図２】本考案に係るシャベルＴ１の構成を示す写真
【図３】本考案に係る木鋸Ｔ２の構成を示す写真
【図４】本考案に係る金鋸Ｔ３の構成を示す写真
【図５】本考案に係る鳶口Ｔ４の構成を示す写真
【図６】本考案に係る釘抜き付ハンマーＴ５の構成を示す写真
【図７】本考案に係る鋤簾Ｔ６の構成を示す写真
【図８】本考案に係る連結具Ｊの構成を示す写真
【符号の説明】
【００３１】
Ａ           収納バッグ
Ｂ           スクリューボルト
Ｃ           インナーケース
Ｇ           溝部
Ｊ      連結具
Ｌ           作業用ライト
Ｐ           警杖
Ｔ           交換式工具
Ｔ１       シャベル
Ｔ２       木鋸  
Ｔ３       金鋸
Ｔ４       鳶口
Ｔ５       釘抜き付ハンマー
Ｔ６       鋤簾
Ｔ１ａ、Ｔ２ａ、Ｔ３ａ、Ｔ４ａ、Ｔ５ａ、Ｔ６ａ    作用部
Ｔ１ｂ、Ｔ２ｂ、Ｔ３ｂ、Ｔ４ｂ、Ｔ５ｂ、Ｔ６ｂ    装着部